(57)【要約】【課題】  収録中に空冷ファンの騒音が録音されてしまい、収録を阻害すること。【解決手段】  指定周波数格納メモリと、大きさの異なる複数のファンと、ファン周波数計算部およびピーク周波数格納部を有し、ファン駆動電圧を個別に制御できるファン駆動制御部を備え、ユーザーが任意に設定した指定周波数および、ファンのピーク周波数に応じて、大きさの異なる複数のファンの駆動電圧を個別に制御することを特徴とする。【選択図】  図１
2020188080.tif 000002
【特許請求の範囲】
【請求項１】
指定周波数格納メモリと、
大きさの異なる複数のファンと、
ファン周波数計算部およびピーク周波数格納部を有し、
ファン駆動電圧を個別に制御できるファン駆動制御部を備え、
ユーザーが任意に設定した指定周波数および、ファンのピーク周波数に応じて、
大きさの異なる複数のファンの駆動電圧を個別に制御することを特徴とするファン駆動制御装置。
【請求項２】
指定周波数格納メモリと、
大きさの異なる複数のファンと、
ファン周波数計算部およびピーク周波数格納部を有し、
ファン駆動電圧を個別に制御できるファン駆動制御部を備え、
ユーザーが任意に設定した指定周波数と、
ファンのピーク周波数および、ファンの周波数分布の半値幅に応じて、
大きさの異なる複数のファンの駆動電圧を個別に制御することを特徴とするファン駆動制御装置。
【発明の詳細な説明】
【技術分野】
【０００１】
本発明は、ユーザーが任意に決定した指定周波数と、表示中の映像信号に基づいて、大きさの異なるそれぞれのファンに対して、回転数を決定する制御装置に関する。
【背景技術】
【０００２】
ファンを搭載している電化製品の代表的な例として、ディスプレイが挙げられる。
近年、ディスプレイの技術向上に伴い、ＨＤＲ（Ｈｉｇｈ  Ｄｙｎａｍｉｃ  Ｒａｎｇｅ）と呼ばれる映像を表示可能な表示装置が普及しつつある。しかし、ＨＤＲディスプレイの高輝度化に伴って空冷ファンの回転数が増大し、空冷ファンから生じる騒音が問題となっている。
【０００３】
生放送など撮り直しの利かない映像を撮影する現場においては、このようなＨＤＲディスプレイを収録現場の側に配置し、収録のリアルタイム映像をディスプレイに出力しながら、出力映像に異常がないかを確認する場合がある。ゆえに、とりわけこのような現場では、ファン騒音が問題となりやすい。このような場合、ファンの騒音がノイズとして不本意に収録されてしまう。特に、ファンが発する周波数分布が収録したい特定の音の周波数と重なってしまう場合、収録を阻害し、映像を視聴するユーザーに不快感を与えてしまう恐れがある。生放送以外の収録現場においても、ファンが発する周波数分布が収録したい音の周波数と重なってしまうと、編集時に周波数フィルタリングを上手く行えず、ファンの騒音を編集により消去できない場合がある。
【０００４】
このような問題を解決するため、従来技術としてファンの回転数を制御することで騒音を抑制するといった手法がある。例えば、ファンの回転数を全体的に抑制する静音モードや、一定期間ファンの回転を停止するファン停止モードなどが存在する。これらの手法によれば、ファンの騒音を抑制、もしくは除去することが可能である。
【０００５】
しかしながら、上記のような従来手法では空冷ファンによる排熱量が少なくなり、ディスプレイの温度が上昇するため、時間的制約が定められている場合がある。あるいは、前述のような温度上昇を防ぐ目的で、表示輝度に制約が設けられるが、生放送は屋外で収録される場合も多数あり、画面の視認が困難になる場合がある。したがって、ファンの回転数を一律に低下させる手法では上記のような弊害があるため、根本的な解決には至っていない。
【０００６】
特許文献１には、複数のファンに対して異なる制御をすることでファン騒音を抑制する技術が開示されている。
【先行技術文献】
【特許文献】
【０００７】
【特許文献１】特開２００４−４２１４号公報
【発明の概要】
【発明が解決しようとする課題】
【０００８】
しかしながら、上記の特許文献１に開示された従来技術を採用した場合、騒音自体は低減されるが、収録したい音の周波数を考慮していないため、編集時において周波数フィルタリングが難しくなる。また、ファンの回転数を収録したい音の周波数から常に外れるように大きくシフトすることでこの問題を解決できるが、ディスプレイは複数個の空冷ファンを用いている場合が多く、複数のファンの回転数を大きく低下、もしくは増加させることは冷却性能や消費電力の観点で問題が生じてしまう。
【０００９】
これらの問題により、ディスプレイの冷却性能や消費電力を大幅に変化させることなく、特定の音の収録を阻害しないようにファンの音の干渉を抑制することは難しい。
【課題を解決するための手段】
【００１０】
上記の課題を解決するために、本発明に係る映像表示装置は、
映像処理部と、指定周波数格納メモリと、大きさの異なる複数のファンと、これらのファンの駆動電圧を制御するファン駆動制御部を備え、ユーザーが任意に決定した指定周波数と、表示中の映像信号に基づいて決定された輝度値に応じて、大きさの異なる複数のファンの回転数を決定することを特徴とする。
【発明の効果】
【００１１】
本発明に係る映像表示装置によれば、大きさの異なる複数のファンの回転数をユーザーの指定周波数から外れるように制御することで、ディスプレイの冷却性能や消費電力を大幅に変化させることなく、ファン騒音とユーザーの指定周波数が干渉することを抑制することが出来る。
【図面の簡単な説明】
【００１２】
【図１】大きさの異なるファンの概要図
【図２】本発明の実施例１に係るブロック図
【図３】本発明の実施例１のファン駆動制御部に係るブロック図
【図４】本発明の実施例１に係るフローチャート
【図５】本発明の実施例１のファン周波数計算部の場合分け条件説明図
【図６】本発明の実施例２に係るフローチャート１
【図７】本発明の実施例２に係るフローチャート２
【図８】本発明の実施例２のファン周波数計算部の場合分け条件説明図
【発明を実施するための形態】
【００１３】
以下、本発明を実施するための形態について、図面を参照しながら説明する。
【００１４】
本発明の実施例の装置構成図を図１に示す。
【００１５】
実施例１では、大きさの異なる複数のファンについて、説明を簡略化するため、相対的に直径の大きいファンと小さいファンの２種類を仮定し、それぞれ「ファン大」、「ファン小」と呼ぶ。ユーザーが事前に機器に手動で設定、もしくは音声の入力によって設定し、ファン騒音の干渉なく収録したい周波数を「指定周波数」と呼び、記号としてｆｗと記載する。また、駆動中のファン大、ファン小の周波数分布について、強度の最も大きい周波数をピーク周波数と呼び、記号としてそれぞれｆｌ、ｆｓと記載する。ファン大、ファン小の周波数分布の半値幅について、記号としてそれぞれΔｆｌ、Δｆｓと記載する。
【００１６】
＜実施例１＞
本発明の第１の実施形態について説明する。
【００１７】
図２は、映像信号入力部２０１、映像処理部２０２、バックライト制御部２０３、液晶パネル２０４、バックライト２０５、指定周波数格納メモリ２０６、ファン駆動制御部２０７、ファン大２０８、ファン小２０９から構成される、映像表示装置２００のブロック図である。
【００１８】
映像信号入力部２０１は、外部の映像出力機器から出力される映像信号を受信してシリアル−パラレル変換処理や同期分離処理を施し、映像信号情報を映像処理部２０２へ出力する。
【００１９】
映像処理部２０２は、映像信号入力部２０１から出力される映像信号情報に対して画像処理を施した後、映像信号を液晶パネル２０４、バックライト制御部２０３へ出力する。
【００２０】
バックライト制御部２０３は、映像処理部２０２から出力される映像信号に応じて、ＰＷＭ（Pulse Width Modulation）信号をバックライト２０５に出力する。計算した輝度値は、ファン駆動制御部２０７へ出力する。
【００２１】
液晶パネル２０４は、映像処理部２０２から出力される映像信号に応じて、各画素に電圧が印加されることで、液晶の透過率を変化させる。
【００２２】
バックライト２０５は、バックライト制御部２０３から出力されたＰＷＭ信号に応じて、バックライト２０５に配置されている各ＬＥＤに電気を流し、バックライト２０５を光らせる。
【００２３】
指定周波数格納メモリ２０６は、ユーザーが任意に設定した指定周波数ｆｗの値をメモリに格納する形で記憶し、ファン駆動制御部２０７へと出力する。
【００２４】
ファン駆動制御部２０７は、指定周波数格納メモリ２０６から出力される指定周波数ｆｗ、バックライト制御部２０３から出力される輝度値Ｌｖ、ファンの駆動制御電圧について演算を行い、ファン大駆動電圧Ｖｌおよび、ファン小駆動電圧Ｖｓをファン大２０８、ファン小２０９にそれぞれ出力する。ファン駆動制御部２０７の内部構成については、後述する。
【００２５】
ファン大２０８は、ファン駆動制御部２０７から出力されたファン大駆動電圧Ｖｌに応じて、ファン大２０８を駆動させる。
【００２６】
ファン小２０９は、ファン駆動制御部２０７から出力されたファン小駆動電圧Ｖｓに応じて、ファン小２０９を駆動させる。
【００２７】
図３は、ファン周波数計算部３０１、ファン大駆動電圧制御部３０２、ファン小駆動電圧制御部３０３、ピーク周波数格納部３０４から構成される、ファン駆動制御部２０７のブロック図である。
【００２８】
ファン周波数計算部３０１は、指定周波数格納メモリ２０６から出力される指定周波数ｆｗ、バックライト制御部２０３から出力される輝度値Ｌｖ、ピーク周波数格納部３０４から出力されるピーク周波数に基づいて、ファン大の駆動電圧およびファン小駆動電圧を計算し、ファン大駆動電圧制御部３０２およびファン小駆動電圧制御部３０３に出力する。また、ピーク周波数を計算し、ピーク周波数格納部３０４へ出力する。
【００２９】
ファン大駆動電圧制御部３０２は、ファン周波数計算部３０１から出力されるファン大２０８の駆動電圧から、ファンを安定して駆動するように制御し、ファン大２０８の駆動電圧Ｖｌをファン大２０８に出力する。
【００３０】
ファン小駆動電圧制御部３０３は、ファン周波数計算部３０１から出力されるファン小２０９の駆動電圧から、ファンを安定して駆動するように制御し、ファン小２０９の駆動電圧Ｖｓをファン小２０９に出力する。
【００３１】
ピーク周波数格納部３０４は、ファン周波数計算部３０１から出力されたピーク周波数を格納する。また、ファン周波数計算部３０１からのピーク周波数読み出し要求に対して、ファンノイズのピーク周波数を出力する。
【００３２】
以上が本実施例のブロック図の説明である。
【００３３】
次に、本実施例の具体的な制御フローについて説明する。
【００３４】
図４は、本実施例の制御フローを説明するフローチャートである。
【００３５】
まず、ファン駆動制御部２０７は指定周波数ｆｗが格納されているかどうかを判断する（４０１）。
【００３６】
指定周波数ｆｗを検出した場合、指定周波数ｆｗ、ファン大のピーク周波数ｆｌ、ファン小のピーク周波数ｆｓを読み込む（４０２）。
【００３７】
次に、読み込んだ指定周波数ｆｗ、ファン大２０８のピーク周波数ｆｌ、ファン小２０９のピーク周波数ｆｓの大小関係を比較する。大小関係がｆｗ≦ｆｌ（１）の時、ｆｌを増加させる（４０３、４０６）。大小関係がｆｓ≦ｆｗの時、ｆｓを低下させる（４０４、４０７）。大小関係がｆｌ＜ｆｗ＜ｆｓの時、ｆｌを低下、ｆｓを増加させる（４０５、４０８）。それ以外の場合は、何もしない（４０９）。
【００３８】
本条件分岐に従い、各ファンの周波数はファン周波数計算部３０１で計算され、各ファンの駆動電圧制御部に対して制御値が送られた後、ファン駆動電圧はそれぞれ個別に  出力される。その後、処理を終了する。
【００３９】
指定周波数ｆｗを検出しなかった場合、バックライト制御部２０３から輝度値を取得し、現在の表示輝度が低輝度かどうかを判断する（４１０）。ここで低輝度とは、予め定めた基準値よりも輝度値が低い場合、低輝度と判断する。低輝度であると判断した際、ファン小のみを駆動させて、低消費電力モードとなる（４１１）。低輝度でないと判断した際、処理を終了する。
【００４０】
図５は、本実施例におけるファンの周波数分布と、指定周波数ｆｗが入りうる領域を３つに分けた様子を示している。領域Ｒ１、Ｒ２、Ｒ３は、それぞれ前述のフローチャート（図４）の４０３、４０５、４０４の条件に対応している。
【００４１】
以上、本実施例の形態によれば、大きさの異なる複数のファンの周波数は、ユーザーが指定した周波数から外れるように駆動制御されるため、収録時に指定周波数とファン騒音の周波数の重なり合いを抑制することが出来る。また、１種類の大きさの複数のファンで同様の制御を行おうとすると、冷却能力または消費電力が大幅に変動してしまうことになるが、本実施例では大幅な変動は見込まれないため、長時間に渡ってファン騒音を低減することが可能である。
【００４２】
＜実施例２＞
本発明の第２の実施形態について説明する。
【００４３】
ブロック図は、実施例１と同様のため省略する。実施例１と異なる点として、ピーク周波数格納部３０４は、ファン周波数計算部３０１から出力されたピーク周波数を元に、ファンの周波数半値幅Δｆｌ、Δｆｓを計算し、自身にそれぞれ格納する。ファン周波数計算部３０１に対して、ファンノイズのピーク周波数、ファンの周波数半値幅Δｆｌ、Δｆｓを出力する。
【００４４】
次に、本実施例の具体的な制御フローについて説明する。
【００４５】
図６は、本実施例の制御フローを説明するフローチャートである。
【００４６】
まず、ファン駆動制御部２０７は指定周波数ｆｗが格納されているかどうかを判断する（４０１）。
【００４７】
指定周波数ｆｗを検出した場合、指定周波数ｆｗ、ファン大２０８のピーク周波数ｆｌ、ファン小２０９のピーク周波数ｆｓ、ファン大２０８の周波数分布の半値幅Δｆｌ、ファン小２０９の周波数分布の半値幅Δｆｓを読込む（６０１）。
【００４８】
次に、ｆｗ、ｆｌ、ｆｓ、ｆｌ±（Δｆｌ／２）、ｆｓ±（Δｆｓ／２）の大小関係を比較する（６０２）。
【００４９】
大小関係に従い、ファン大およびファン小の制御について７つの条件分岐を行う。図７に、大小関係比較処理（６０２）の詳細条件および各ファンの制御についてまとめたものを示す。本条件に従い、各ファンの周波数はファン周波数計算部３０１で計算され、各ファンの駆動電圧制御部に対して制御値が送られた後、ファン駆動電圧はそれぞれ個別に出力される。
【００５０】
指定周波数ｆｗを検出しなかった場合、バックライト制御部から輝度値を取得し、現在の表示輝度が低輝度かどうかを判断する（４１０）。ここで低輝度とは、実施例１と同様、予め定めた基準値よりも輝度値が低い場合、低輝度と判断する。低輝度であると判断した際、ファン小のみを駆動させて、低消費電力モードとなる（４１１）。低輝度でないと判断した際、処理を終了する。
【００５１】
図８は、本実施例におけるファンの周波数分布と、指定周波数ｆｗが入りうる領域を７つに分けた様子を示している。領域Ｒ１〜Ｒ７は、それぞれ前述のフローチャート（図６）の大小関係比較処理（６０２）の各条件に対応している。
【００５２】
以上、本実施例の形態によれば、大きさの異なる複数のファンの周波数は、ユーザーが指定した周波数から外れるように駆動制御されるため、収録時に指定周波数とファン騒音の周波数の重なり合いを抑制することが出来る。また、１種類の大きさの複数のファンで同様の制御を行おうとすると、冷却能力または消費電力が大幅に変動してしまうことになるが、本実施例ではそれらの大幅な変動は見込まれないため、長時間に渡ってファン騒音を低減することが可能である。
【００５３】
実施例２では、ファン制御の大きさが実施例１に比べて細かいパターンに分かれており、実施例１に比べて冷却能力または消費電力が大幅に変動することを抑制することができる。
【００５４】
以上、本発明の好ましい実施形態について説明したが、本発明はこれらの実施形態に限定されず、その要旨の範囲内で種々の変形及び変更が可能である。
【符号の説明】
【００５５】
２００  映像表示装置、２０１  映像信号入力部、２０２  映像処理部、
２０３  バックライト制御部、２０４  液晶パネル、２０５  バックライト、
２０６  指定周波数格納メモリ、２０７  ファン駆動制御部、２０８  ファン大、
２０９  ファン小、３０１  ファン周波数計算部、
３０２  ファン大駆動電圧制御部、３０３  ファン小駆動電圧制御部、
３０４  ピーク周波数格納部
【図１】
2020188080.tif 000003
【図２】
2020188080.tif 000004
【図３】
2020188080.tif 000005
【図４】
2020188080.tif 000006
【図５】
2020188080.tif 000007
【図６】
2020188080.tif 000008
【図７】
2020188080.tif 000009
【図８】
2020188080.tif 000010